(57)【要約】【課題】手持ち式のクリーナにおいて、取回しの良さが損なわれるのを抑えつつ、電圧を高く設定したり供給容量を大きく設定したりする要請に応じる。【解決手段】バッテリ装着部６０（６０ａ，６０ｂ）は２つ設けられているので、充電式バッテリ８０（８０ａ，８０ｂ）を２つ装着できる。このため、汎用される電圧が１８Ｖとなる充電式バッテリ８０を２つ使って、供給される電力の容量を２倍とすることができる。第１および第２のバッテリ装着部６０ａ，６０ｂは、ループ形状をなすことによりハンドル部１３を形成するグリップハウジング１２の下側連接部１６に対して設けられている。これによって、第１および第２のバッテリ装着部６０ａ，６０ｂに装着される充電式バッテリ８０ａ，８０ｂの重量が、この装着位置上側に設けられるハンドル部１３に対してかかる。【選択図】図６
2014147590.tif 000002
【特許請求の範囲】
【請求項１】
充電式バッテリがスライドさせて装着されるバッテリ装着部と、該充電式バッテリから供給される電力によりモータ軸を回転駆動させる電動モータと、該モータ軸の回転駆動により回転して送風する送風ファンと、該送風ファンの送風によりノズルから吸引された粉塵を集めておく集塵ハウジングと、を有する手持ち式のクリーナであって、
前記バッテリ装着部は、外装をなすハウジングに対して前記モータ軸の延在方向を中心にした対称位置にそれぞれ１つずつ配置されるように、設けられている、ことを特徴とする手持ち式のクリーナ。
【請求項２】
充電式バッテリがスライドさせて装着されるバッテリ装着部と、該充電式バッテリから供給される電力によりモータ軸を回転駆動させる電動モータと、該モータ軸の回転駆動により回転して送風する送風ファンと、該送風ファンの送風によりノズルから吸引された粉塵を集めておく集塵ハウジングと、を有する手持ち式のクリーナであって、
前記バッテリ装着部は、前記充電式バッテリのスライド装着させる方向の軸線が互いに平行となるように、外装をなすハウジングに対して２つ設けられている、ことを特徴とする手持ち式のクリーナ。
【請求項３】
充電式バッテリがスライドさせて装着されるバッテリ装着部と、該充電式バッテリから供給される電力によりモータ軸を回転駆動させる電動モータと、該モータ軸の回転駆動により回転して送風する送風ファンと、該送風ファンの送風によりノズルから吸引された粉塵を集めておく集塵ハウジングと、を有する手持ち式のクリーナであって、
前記バッテリ装着部は、スライドさせて装着された充電式バッテリ同士が短手方向が並べられるように、外装をなすハウジングに対して２つ設けられている、ことを特徴とする手持ち式のクリーナ。
【請求項４】
充電式バッテリがスライドさせて装着されるバッテリ装着部と、該充電式バッテリから供給される電力によりモータ軸を回転駆動させる電動モータと、該モータ軸の回転駆動により回転して送風する送風ファンと、該送風ファンの送風によりノズルから吸引された粉塵を集めておく集塵ハウジングと、を有する手持ち式のクリーナであって、
前記バッテリ装着部は、前記ノズルが延びる方向に沿って並べられるように、外装をなすハウジングに対して２つ設けられている、ことを特徴とする手持ち式のクリーナ。
【発明の詳細な説明】
【技術分野】
【０００１】
この発明は、車室内や居室などの清掃に使用される手持ち式のクリーナに関する。
【背景技術】
【０００２】
従来、車室内や居室などの清掃に使用される手持ち式のクリーナとして、いわゆるハンディクリーナが知られている（例えば、特許文献１参照）。このハンディクリーナは、クリーナ本体に電動モータが内装される。このハンディクリーナは、電動モータを回転駆動させることにより吸引風を生じさせる。吸引風は、ノズルから粉塵を吸引し、集塵ハウジングに粉塵を溜める。このようにして、ハンディクリーナは、掃除機として機能する。
一方、この種のハンディクリーナにあっては、供給電源として一般にバッテリパックと称される充電式バッテリが装着されている。この充電式バッテリは、専用の充電器にて充電されてクリーナ本体に装着されるようになっている。このようなハンディクリーナにあっては、一般にクリーナ本体の最後部に充電式バッテリが装着される。
【先行技術文献】
【特許文献】
【０００３】
【特許文献１】特開２０１０−２２０６３２号公報
【発明の概要】
【発明が解決しようとする課題】
【０００４】
他方、上記したハンディクリーナにあっては、充電式バッテリを電源として用いるため、稼動時間に制限がある。このため、この種のクリーナにあっても、この稼動時間が長くなって欲しいとの要請がある。つまり、充電式バッテリから供給される電力について、供給容量を大きく設定したいとの要請がある。このような要請に応じて、電力の供給容量が大きく設定される充電式バッテリを用いることも考えられる。しかしながら、このような電力の供給容量が大きく設定される充電式バッテリは、充電式バッテリ自体の大きさが大型化するために汎用性が乏しく、製品レベルでは使い勝手の悪いものとなってしまう。
そこで、広く使用されている汎用性の高い充電式バッテリを、２つ装着できるようにした構成等が創案される。しかしながら、単純にクリーナ本体に充電式バッテリを２つ装着しようとすると、ハンディクリーナの重量バランスが崩れてしまって工具使用の取回しの良さを損なわせてしまいかねない。
【０００５】
本発明は、このような事情に鑑みなされたものであって、本発明が解決しようとする課題は、手持ち式のクリーナにおいて、クリーナとしての取回しの良さが損なわれるのを抑えつつ、クリーナとして利用するにあたって汎用性の高い充電式バッテリを用いて供給容量を大きく設定できるようにすることにある。
【課題を解決するための手段】
【０００６】
上記した課題を解決するために、本発明に係る手持ち式のクリーナは次の手段をとる。
本発明の第１の発明は、充電式バッテリがスライドさせて装着されるバッテリ装着部と、該充電式バッテリから供給される電力によりモータ軸を回転駆動させる電動モータと、該モータ軸の回転駆動により回転して送風する送風ファンと、該送風ファンの送風によりノズルから吸引された粉塵を集めておく集塵ハウジングと、を有する手持ち式のクリーナであって、前記バッテリ装着部は、外装をなすハウジングに対して前記モータ軸の延在方向を中心にした対称位置にそれぞれ１つずつ配置されるように、設けられている、ことを特徴とする。
この第１の発明によれば、バッテリ装着部は２つ設けられているので、充電式バッテリを２つ装着できるようになる。これによって、クリーナとして利用するにあたって電力の供給容量を大きく設定する要請に応じることができる。また、この第１の発明によれば、２つのバッテリ装着部は、外装をなすハウジングに対してモータ軸の軸線で対称となる位置にそれぞれ１つずつ配置されるので、充電式バッテリが装着されることによって増加する重量をバランスさせることができる。これによって、手で持ちながら掃除するにあたっての、クリーナとしての取回しの良さが損なわれるのを抑えることができる。
【０００７】
本発明の第２の発明は、充電式バッテリがスライドさせて装着されるバッテリ装着部と、該充電式バッテリから供給される電力によりモータ軸を回転駆動させる電動モータと、該モータ軸の回転駆動により回転して送風する送風ファンと、該送風ファンの送風によりノズルから吸引された粉塵を集めておく集塵ハウジングと、を有する手持ち式のクリーナであって、前記バッテリ装着部は、前記充電式バッテリのスライド装着させる方向の軸線が互いに平行となるように、外装をなすハウジングに対して２つ設けられている、ことを特徴とする。
本発明の第３の発明は、充電式バッテリがスライドさせて装着されるバッテリ装着部と、該充電式バッテリから供給される電力によりモータ軸を回転駆動させる電動モータと、該モータ軸の回転駆動により回転して送風する送風ファンと、該送風ファンの送風によりノズルから吸引された粉塵を集めておく集塵ハウジングと、を有する手持ち式のクリーナであって、前記バッテリ装着部は、スライドさせて装着された充電式バッテリ同士が短手方向が並べられるように、外装をなすハウジングに対して２つ設けられている、ことを特徴とする。
本発明の第４の発明は、充電式バッテリがスライドさせて装着されるバッテリ装着部と、該充電式バッテリから供給される電力によりモータ軸を回転駆動させる電動モータと、該モータ軸の回転駆動により回転して送風する送風ファンと、該送風ファンの送風によりノズルから吸引された粉塵を集めておく集塵ハウジングと、を有する手持ち式のクリーナであって、前記バッテリ装着部は、前記ノズルが延びる方向に沿って並べられるように、外装をなすハウジングに対して２つ設けられている、ことを特徴とする。
【図面の簡単な説明】
【０００８】
【図１】第１の実施の形態のハンディクリーナの外観全体を示す斜視図である。
【図２】図１に示すハンディクリーナを側面で視た側面図である。
【図３】図１に示すハンディクリーナを上側から視た平面図である。
【図４】図１に示すハンディクリーナを下側から視た平面図である。
【図５】図１に示すハンディクリーナの半割り内部構造を示す内部構造図である。
【図６】図５の(VI)-(VI)断面矢視を示す内部構造図である。
【図７】バッテリ装着部にスライドさせて装着される充電式バッテリの斜視図である。
【図８】図４の（VIII）部分となるバッテリ端子接続部を拡大して示す平面図である。
【図９】電動モータの回路構造を模式化して概念的に示す概念回路図である。
【図１０】第２の実施の形態のハンディクリーナの外観全体を示す斜視図である。
【図１１】図１０に示すハンディクリーナを側面で視た側面図である。
【図１２】図１０に示すハンディクリーナを上側から視た平面図である。
【図１３】図１０に示すハンディクリーナを下側から視た平面図である。
【図１４】第３の実施の形態のハンディクリーナの外観全体を示す斜視図である。
【図１５】図１４に示すハンディクリーナを側面で視た側面図である。
【図１６】図１４に示すハンディクリーナを上側から視た平面図である。
【図１７】図１４に示すハンディクリーナを下側から視た平面図である。
【図１８】第３の実施の形態の変形例であり、ハンディクリーナの外観全体を示す斜視図である。
【図１９】図１８に示すハンディクリーナを側面で視た側面図である。
【図２０】図１８に示すハンディクリーナを上側から視た平面図である。
【図２１】図１８に示すハンディクリーナを下側から視た平面図である。
【発明を実施するための形態】
【０００９】
［第１の実施の形態］
次に、本発明に係る第１の実施の形態を図１〜図９を参照しながら説明する。図１に示す符号１０は、本発明に係る手持ち式のクリーナに相当するハンディクリーナである。すなわち、図１の斜視図では、第１の実施の形態のハンディクリーナ１０の外観全体を示している。図２の側面図では、図１に示すハンディクリーナ１０を側面で視ている。図３の平面図では、図１に示すハンディクリーナ１０を上側から視ている。図４の平面図では、図１に示すハンディクリーナ１０を下側から視ている。なお、図４の平面図では、充電式バッテリ８０（８０ａ,８０ｂ）が取り外されている。図５の内部構造図では、図１に示すハンディクリーナ１０の半割り内部構造を示している。図６の内部構造図では、図５の(VI)-(VI)断面矢視を示している。図７の斜視図では、バッテリ装着部にスライドさせて装着される充電式バッテリを示している。図８の平面図では、図４の（VIII）部分となるバッテリ端子接続部を拡大して示す平面図である。図９に示す概念回路図では、電動モータの回路構造を模式化して概念的に示している。なお、以下の説明では、図中に記載される方向を用いてハンディクリーナ１０を説明する。
このハンディクリーナ１０は、ユーザが手で持ちながら掃除をするための手持ち式のクリーナである。このハンディクリーナ１０の供給電力の電圧は通常のハンディクリーナと同じく１８Ｖに設定されている。これに対して、このハンディクリーナ１０の稼動時間は、通常の２倍の時間で稼動できるように設定されている。すなわち、このハンディクリーナ１０は、電源としての２つの充電式バッテリ８０がスライドさせて装着されて駆動するようになっている。
【００１０】
このハンディクリーナ１０は、概略、クリーナ本体１１と、フィルタ具４１と、集塵ハウジング５１とを備える。クリーナ本体１１は、概略、グリップハウジング１２と、送風動力機構３０とを備える。グリップハウジング１２は、次に説明する送風動力機構３０を内装する。このグリップハウジング１２は、前側に集塵ハウジング５１が取り付けられるようになっており、ハンディクリーナ１０の外装の一部をなす。このグリップハウジング１２は、樹脂製の半割り成形部品として形成されている。このグリップハウジング１２は、図示するようにループ形状をなして形成されている。すなわち、このグリップハウジング１２には、このループ形状をなすことにより形成されるハンドル部１３が設けられている。
具体的には、図２に示すように、グリップハウジング１２は前後に延びる輪状（ループ形状）をなしている。このグリップハウジング１２の上部は、ハンドル部１３として形成されている。このハンドル部１３の外周面には、適宜のエラストマが取り付けられている。このエラストマは、ハンドル部１３を手握りした際の滑り止め等の機能を確保する。このハンドル部１３の後側には、下側に突き出される後側連接部１４が形成されている。また、ハンドル部１３の前側にも、下側に突き出される前側連接部１５が形成されている。これら後側連接部１４の下部と前側連接部１５の下部とは、下側連接部１６として連接されている。この下側連接部１６は、ループ形状をなすグリップハウジング１２の下部をなす。この下側連接部１６は、アーチ形状をなして形成されている。この下側連接部１６には、後に詳述する２つのバッテリ装着部６０（６０ａ，６０ｂ）が設けられる。
【００１１】
グリップハウジング１２の内部は、駆動コントローラ１７が設けられている。この駆動コントローラ１７は、シャント抵抗やＦＥＴ(field-effect transistor)回路（駆動コントローラ１７の一部）等の各種の電材部品を装備して構成される。この駆動コントローラ１７は、このハンディクリーナ１０の主たる制御を行う基板である。また、下側連接部１６の前側には、電力コントローラ１８が設けられている。この電力コントローラ１８は、バッテリ装着部６０（６０ａ，６０ｂ）に装着される充電式バッテリ８０（８０ａ，８０ｂ）から供給される電力の電圧等の制御を行う基板である。なお、電力コントローラ１８の位置については、電動モータ３２の下側スペースとなる図示符号１８１の位置に変更するものであってもよい。また、電力コントローラ１８の位置については、バッテリ装着部６０の上側スペースとなる図示符号１８２の位置に変更するものであってもよい。
上記したハンドル部１３には、操作スイッチ２０が設けられている。この操作スイッチ２０は、スイッチ本体２１と、操作ボタン部２２とを備える。スイッチ本体２１は、グリップハウジング１２に内装されグリップハウジング１２に支持されている。このスイッチ本体２１は、広く利用される接点スイッチにて構成される。操作ボタン部２２は、上下方向に移動可能にグリップハウジング１２に支持されている。操作ボタン部２２は、ハンドル部１３の握り方向に沿った押込み操作によりスイッチ本体２１の接点をオンとする。接点がオンとされたスイッチ本体２１は、スイッチオンとする旨の信号を駆動コントローラ１７に入力する。なお、操作ボタン部２２が押込み操作されていない場合には、不図示の付勢ばねにより押込みが解除され、接点がオフとされたスイッチオフとする状態となる。
【００１２】
このグリップハウジング１２の内部には、送風動力機構３０が設けられている。この送風動力機構３０は、電動モータ３２と送風ファン３５とを備える。電動モータ３２は、後に詳述するバッテリ装着部６０に装着された充電式バッテリ８０から供給される電力によりモータ軸３３を回転駆動させる。この電動モータ３２は、グリップハウジング１２にて支持されるブラケット部３１により支持されている。この電動モータ３２は、通常のハンディクリーナに内装される電動モータと同様、いわゆるブラシモータにて構成される。この電動モータ３２は、回転駆動するモータ軸３３を前側に突き出させている。このモータ軸３３には、送風ファン３５のファン本体３６が取り付けられている。送風ファン３５は、回転することにより送風するファン本体３６と、このファン本体３６の周囲に設けられる気流ガイド部３７とを備える。ファン本体３６は、上記した回転軸としてのモータ軸３３に取り付けられている。このファン本体３６はモータ軸３３の回転駆動により送風する気流を生ずる。気流ガイド部３７は、このファン本体３６により生じる気流の流し方向をガイドする壁構造をなしている。このように構成される送風動力機構３０は、電動モータ３２にて発生させた回転駆動力によりファン本体３６にて送風する。この送風は、送風ファン３５の前側から吸気し、送風ファン３５の後側へと排気するように機能する。なお、この送風ファン３５の前側には、次に説明するフィルタ具４１が取り付けられる。すなわち、送風動力機構３０は、フィルタ具４１を介してクリーナ本体１１の前側から吸気し、このクリーナ本体１１に設けられる排気口１９（図１および図２参照）から排気する。この排気口１９は、上記した下側連接部１６より前側のグリップハウジング１２に設けられており、このグリップハウジング１２の内外を通じさせる連通構造を有している。なお、図示符号Ｘ１にて示す仮想線は、モータ軸３３の回転軸線を示している。
【００１３】
このクリーナ本体１１の前側には、フィルタ具４１が設けられている。このフィルタ具４１は、概略、支持具４２と、フィルタ本体４３とを備える。フィルタ本体４３は、通常の掃除用のフィルタと同様、気流に混入される塵埃等の粉塵を濾過する。このフィルタ本体４３は、図示するようにカップ形状をなして形成される。支持具４２は、クリーナ本体１１に対して支持具４２の弾性力を利用して圧入される。このように支持される支持具４２は、フィルタ本体４３が次に説明する集塵ハウジング５１の内部の適切位置に配置されるように、フィルタ本体４３を支持する。
また、集塵ハウジング５１は、このフィルタ具４１の外周側を覆うように、クリーナ本体１１に対して取り付けられる。集塵ハウジング５１も、前後面が開口されるカップ形状を有して形成される。この集塵ハウジング５１は、ノズル部５５と一体に成形することにより形成される。この集塵ハウジング５１は、クリーナ本体１１に対して取り付けられる取付開口端部５３が設けられる。この取付開口端部５３の反対側には、この集塵ハウジング５１の内部と連通されるノズル部５５が設けられる。このノズル部５５は、本発明に係るノズルに相当する。このノズル部５５は、クリーナ本体１１が延在する前後方向に沿って延びている。つまり、このノズル部５５も、このハンディクリーナ１０が延びる前後方向に沿って延びて形成されるようになっている。また、上記した送風ファン３５による吸引風は、ノズル部５５の前端に設けられる吸気口５６から外気を吸気するように作用する。
【００１４】
次に、上記したグリップハウジング１２の下側連接部１６に設けられる２つのバッテリ装着部６０（６０ａ，６０ｂ）について説明する。すなわち、グリップハウジング１２の下側連接部１６には、２つのバッテリ装着部６０ａ，６０ｂが設けられている。つまり、２つのバッテリ装着部６０ａ，６０ｂは、ハンドル部１３が設けられるグリップハウジング１２のループ形状の一部に対して設けられている。また、このループ形状の一部は、グリップハウジング１２の下側連接部１６に設定されている。
このバッテリ装着部６０ａ，６０ｂのそれぞれには、スライドさせることにより装着される充電式バッテリ８０ａ，８０ｂが取り付けられる。この充電式バッテリ８０ａ，８０ｂは、図７に示すように、広く汎用される供給電力の電圧が１８Ｖに設定される充電式バッテリ８０である。この充電式バッテリ８０は、スライドさせることによってバッテリ装着部６０に装着されるいわゆるスライド式装着型の充電式バッテリとなっている。このため、この充電式バッテリ８０の図示上面（接続端子配置面）側には、スライド装着させるための構造および電気的接続がなされる構造が設けられている。すなわち、図７に示すように、充電式バッテリ８０の図示上面側には、スライド装着させるための構造として、対をなすスライドガイド部８１，８２が設けられている。また、この充電式バッテリ８０の図示上面側には、電気的接続がなされる構造として、正極側端子８３と負極側端子８４と信号側端子８５とが設けられている。また、この充電式バッテリ８０の図示上面側には、充電式バッテリ８０をスライド装着させて電気的接続がなされた際に、この状態にて充電式バッテリ８０をバッテリ装着部６０に対して係合させた状態とする雄フック８７が設けられている。また、この充電式バッテリ８０の取り外し方向側には、上記した雄フック８７を操作するための押しボタン８８が設けられている（図１および図３等参照）。この押しボタン８８は雄フック８７と連結している。この押しボタン８８を押し操作することで、雄フック８７が動作して充電式バッテリ８０の内部に収納される。これにより、充電式バッテリ８０がバッテリ装着部６０に対して係合しない状態となり、充電式バッテリ８０をバッテリ装着部６０から取り外せるようになる。なお、図７に記載される符号Ｌは、この充電式バッテリ８０の長手方向の長さを示している。また、図７に記載される符号Ｗは、この充電式バッテリ８０の幅方向の長さを示している。また、図７に記載される符号Ｈは、この充電式バッテリ８０の高さ方向の長さを示している。つまり、この充電式バッテリ８０の外形寸法は、長手方向の長さＬ＞幅方向の長さＷ＞高さ方向の長さＨ、という大小関係にある略直方体形状を有して形成されている。
【００１５】
次に、上記した充電式バッテリ８０をスライドさせて装着させるバッテリ装着部６０について説明する。図４および図８に示すように、このバッテリ装着部６０は、上記した充電式バッテリ８０をスライドさせて装着される構造を有する。このため、上記した充電式バッテリ８０に対応する装着構造を有して構成される。すなわち、バッテリ装着部６０は、図４および図８に示すように、上記した充電式バッテリ８０をスライド装着させるための構造、および上記した充電式バッテリ８０を電気的接続をする構造が設けられている。図４に示すように、このバッテリ装着部６０には、スライド装着させるための構造として、対をなすスライドガイド受部６１，６２が設けられている。また、図８に示すように、このバッテリ装着部６０には、電気的接続がなされる構造として、正極側端子６３と負極側端子６４と信号側端子６５とを備えるバッテリ端子接続部６００が設けられている。また、図４および図５に示すように、このバッテリ装着部６０には、充電式バッテリ８０をスライド装着させて電気的接続がなされた際に、この状態の充電式バッテリ８０がバッテリ装着部６０にロックされる。つまり、バッテリ装着部６０には、この状態の充電式バッテリ８０の雄フック８７が係合する雌部（凹み）６６が設けられている。
【００１６】
このように第１および第２のバッテリ装着部６０ａ，６０ｂに装着された充電式バッテリ８０ａ，８０ｂは、コントローラ１７，１８により制御される。すなわち、ハンディクリーナ１０の電動モータ３２の回転駆動は、図９に示す概念回路図のように駆動コントローラ１７および電力コントローラ１８により制御されている。すなわち、駆動コントローラ１７および電力コントローラ１８は、操作スイッチ２０およびシャント抵抗１７１（駆動コントローラ１７の一部）からの入力信号を受けて、ＦＥＴ回路１７２（駆動コントローラ１７の一部）に出力信号を送る。これにより、駆動コントローラ１７および電力コントローラ１８は、電動モータ３２の回転駆動を制御している。この際、第１および第２のバッテリ装着部６０ａ，６０ｂに装着される充電式バッテリ８０ａ，８０ｂは、並列方向の接続となるように回路設計されている。このため、充電式バッテリ８０ａ，８０ｂから供給される電力は、第１および第２のバッテリ装着部６０ａ，６０ｂを介して電圧が『１８Ｖとなる』の並列接続構造となるように設定されている。
図示するように、第１バッテリ装着部６０ａと第２バッテリ装着部６０ｂとは、下側連接部１６に対して左右にずらされた並列配置関係で設けられている。これら第１および第２のバッテリ装着部６０ａ，６０ｂに対しての充電式バッテリ８０ａ，８０ｂのスライド装着方向は、両方とも後から前に向けてスライドさせることにより取り付けられるように設定されている。つまり、これら第１および第２のバッテリ装着部６０ａ，６０ｂに対しての充電式バッテリ８０ａ，８０ｂのスライド装着は、互いに同一の平行となる方向に設定されている。なお、これら第１および第２のバッテリ装着部６０ａ，６０ｂは、グリップハウジング１２に対してモータ軸３３の延在方向を中心にした軸線Ｘ１に対して、互いに左右対称位置にそれぞれ１つずつ配置されるように設けられている。
また、図３の符号Ｘ３にて示す仮想線は、第１バッテリ装着部６０ａに対して充電式バッテリ８０ａがスライド装着される軸線を示している。また、図３の符号Ｘ４にて示す仮想線は、第２バッテリ装着部６０ｂに対して充電式バッテリ８０ｂがスライド装着される軸線を示している。なお、これら第１および第２のバッテリ装着部６０ａ，６０ｂは、上記したバッテリ装着部６０の構造にて構成されている。これら軸線Ｘ３と軸線Ｘ４とは、互いに平行となるように設定されている。つまり、第１の実施の形態のバッテリ装着部６０ａ，６０ｂは、２つの充電式バッテリ８０ａ，８０ｂが並列にスライドさせて装着できるように、グリップハウジング１２の下側連接部１６に対して設けられている。
【００１７】
この第１の実施の形態のハンディクリーナ１０によれば、次の作用効果を奏することができる。すなわち、このハンディクリーナ１０によれば、バッテリ装着部６０（６０ａ，６０ｂ）は２つ設けられているので、充電式バッテリ８０（８０ａ，８０ｂ）を２つ装着できるようになる。これによって、ハンディクリーナ１０として利用するにあたって供給容量を大きく設定する要請に応じることができる。つまり、汎用される電圧が１８Ｖとなる充電式バッテリ８０を２つ使って、供給される電力の容量を２倍とすることができる。したがって、広く汎用される充電式バッテリ８０を用いながらも、稼働時間を長く欲しい現場において稼動時間が２倍となるハンディクリーナ１０として機能させることができる。また、この第１の実施の形態のハンディクリーナ１０によれば、第１および第２のバッテリ装着部６０ａ，６０ｂは、ループ形状をなすことによりハンドル部１３を形成するグリップハウジング１２の下側連接部１６に対して設けられている。これによって、第１および第２のバッテリ装着部６０ａ，６０ｂに装着される充電式バッテリ８０ａ，８０ｂの重量が、この装着位置上側に設けられるハンドル部１３に対してかかることとなる。したがって、ハンディクリーナ１０を手で持って加工作業を行うにあたって、充電式バッテリ８０ａ，８０ｂの重量をハンドル部１３に直接的に掛けることができて、取回しの良さが損なわれるのを抑えることができる。
【００１８】
さらに、この第１の実施の形態のハンディクリーナ１０によれば、２つのバッテリ装着部６０ａ，６０ｂは、グリップハウジング１２に対してモータ軸３３の軸線Ｘ１で対称となる位置にそれぞれ１つずつ配置されるので、充電式バッテリ８０ａ，８０ｂが装着されることによって増加する重量をバランスさせることができる。これによって、手で持って加工作業を行うにあたっての、ハンディクリーナ１０としての取回しの良さが損なわれるのを抑えることができる。また、バッテリ装着部６０ａ，６０ｂは、充電式バッテリ８０ａ，８０ｂのスライド装着させる方向の軸線Ｘ３，Ｘ４が互いに平行となるように設定されている。これによって、並べられた充電式バッテリ８０ａ，８０ｂの並び方向の長さは、この充電式バッテリ８０の幅方向の長さＷを２つ合わせた長さとすることができる。つまり、この充電式バッテリ８０の外形寸法の中でも短手方向となる長さを合わせることとなる。これによって、２つ並列された充電式バッテリ８０ａ，８０ｂの嵩張りも抑えることができて、ハンディクリーナ１０を手で持って加工作業を行うにあたって取回しの良さが損なわれるのを抑えることができる。
なお、この第１の実施の形態にあっては、第１および第２のバッテリ装着部６０ａ，６０ｂに対して充電式バッテリ８０ａ，８０ｂを取り付けるためのスライド装着方向は、互いに同一となる後から前に設定されるものであった。しかしながら、この第１および第２のバッテリ装着部６０ａ，６０ｂにあっては、スライド装着される軸線Ｘ３，Ｘ４が互いに平行となるように設定されていればよいものであり、この取り付け方向は適宜に組み合わせるようにしてもよい。つまり、第１および第２のバッテリ装着部６０ａ，６０ｂに対しての充電式バッテリ８０ａ，８０ｂの取り付け方向は、互いに同一となる前から後に設定されるものであってもよい。また、第１バッテリ装着部６０ａに対しての充電式バッテリ８０ａの取り付け方向が後から前に設定され、かつ第２バッテリ装着部６０ｂに対しての充電式バッテリ８０ｂの取り付け方向が前から後に設定されるものであってもよい。また逆に、第１バッテリ装着部６０ａに対しての充電式バッテリ８０ａの取り付け方向が前から後に設定され、かつ第２バッテリ装着部６０ｂに対しての充電式バッテリ８０ｂの取り付け方向が後から前に設定されるものであってもよい。
【００１９】
［第２の実施の形態］
次に、上記した第１の実施の形態の変形例となる第２〜第４の実施の形態について図１０〜図２１を参照しながら説明する。なお、これら第２〜第４の実施の形態にあっては、上記した第１の実施の形態のハンディクリーナ１０のうちバッテリ装着部６０の配設構成のみが相違するものとなっている。このため、上記した第１の実施の形態と略同様に構成される箇所については、上記した第１の実施の形態にて付した符号と同一の符号を図面に付し、その説明については省略するものとする。
まず、第２の実施の形態のハンディクリーナ１０Ａについて説明する。図１０の斜視図では、第２の実施の形態のハンディクリーナ１０Ａの外観全体を示している。図１１の側面図では、図１０に示すハンディクリーナ１０Ａを側面で視ている。図１２の平面図では、図１０に示すハンディクリーナ１０Ａを上側から視ている。図１３の平面図では、図１０に示すハンディクリーナ１０Ａを下側から視ている。
図１０〜図１３に示すように、第２の実施の形態のバッテリ装着部６０Ａにあっても、上記した第１の実施の形態のバッテリ装着部６０と同様に、グリップハウジング１２の下側連接部１６に配設されている。具体的には、第１バッテリ装着部６０Ａａと第２バッテリ装着部６０Ａｂとは、下側連接部１６に対して左右にずらされた並列配置関係で設けられている。ただ、これら第１バッテリ装着部６０Ａａと第２バッテリ装着部６０Ａｂとは、充電式バッテリ８０ａ，８０ｂの接続端子配置面同士を互いに向き合わせるように設けられている。詳しく言えば、第１バッテリ装着部６０Ａａと第２バッテリ装着部６０Ａｂとは、不図示のモータ軸の延在方向を中心にした軸線Ｘ１に対して、互いに左右対称位置にそれぞれ１つずつ配置されるように設けられている。つまり、これら第１バッテリ装着部６０Ａａと第２バッテリ装着部６０Ａｂとは、充電式バッテリ８０ａ，８０ｂの接続端子配置面同士で、グリップハウジング１２の下側連接部１６を挟み込むように設けられている。これら第１および第２のバッテリ装着部６０Ａａ，６０Ａｂは、互いに反対側となる両側面に面して設けられる。このため、これら第１および第２のバッテリ装着部６０Ａａ，６０Ａｂ装着された充電式バッテリ８０ａ，８０ｂは横置きにされている。なお、これら第１および第２のバッテリ装着部６０Ａａ，６０Ａｂに対しての充電式バッテリ８０ａ，８０ｂのスライド装着方向は、両方とも後から前に向けてスライドさせることにより取り付けられるように設定されている。
【００２０】
この第２の実施の形態のハンディクリーナ１０Ａによれば、上記した第１の実施の形態のハンディクリーナ１０と略同一の作用効果を奏することができる。なお、この第２の実施の形態のハンディクリーナ１０Ａでは、並べられた充電式バッテリ８０ａ，８０ｂの並び方向の長さは、この充電式バッテリ８０の高さ方向の長さＨを２つ合わせた長さとなっている。このため、この充電式バッテリ８０の外形寸法の中でも最も短手方向となる長さを合わせることとなる。これによって、２つ並列された充電式バッテリ８０ａ，８０ｂの嵩張りをさらに抑えることができる。また、この第２の実施の形態のハンディクリーナ１０Ａによれば、充電式バッテリ８０ａ、８０ｂは、グリップハウジング１２の下側連接部１６を挟み込むようにスライドさせて取り付けられる。これによって、充電式バッテリ８０をスライドさせて着脱する際の動作時に、充電式バッテリ８０を把持させ易くして、この着脱動作が行い易くなる。また、この第２の実施の形態にあっても、第１および第２のバッテリ装着部６０Ａａ，６０Ａｂに対して充電式バッテリ８０ａ，８０ｂを取り付けるためのスライド装着方向としては、図示されている方向とは逆方向の構成としてもよく、互いに同一となる方向あるいは互いに逆になる方向の、いずれの方向の組合せで設定されるものであってもよい。
【００２１】
［第３の実施の形態］
次に、第３の実施の形態のハンディクリーナ１０Ｂについて説明する。図１４の斜視図では、第３の実施の形態のハンディクリーナ１０Ｂの外観全体を示している。図１５の側面図では、図１４に示すハンディクリーナ１０Ｂを側面で視ている。図１６の平面図では、図１４に示すハンディクリーナ１０Ｂを上側から視ている。図１７の平面図では、図１４に示すハンディクリーナ１０Ｂを下側から視ている。
図１４〜図１７に示すように、第３の実施の形態のバッテリ装着部６０Ｂにあっても、上記した第１の実施の形態のバッテリ装着部６０と同様に、グリップハウジング１２の下側連接部１６に配設されている。具体的には、第１バッテリ装着部６０Ｂａと第２バッテリ装着部６０Ｂｂとは、下側連接部１６に対して前後にずらされた並列配置関係で設けられている。これら第１および第２のバッテリ装着部６０Ｂａ，６０Ｂｂに対しての充電式バッテリ８０ａ，８０ｂのスライド装着方向は、互いに向き合う対向方向に設定されている。すなわち、第１バッテリ装着部６０Ｂａに対する充電式バッテリ８０ａのスライド装着方向は、左から右に向けてスライドさせることにより取り付けられるように設定されている。これに対して、第２バッテリ装着部６０Ｂｂに対する充電式バッテリ８０ｂのスライド装着方向は、右から左に向けてスライドさせることにより取り付けられるように設定されている。このため、この第１バッテリ装着部６０Ｂａに対して充電式バッテリ８０ａがスライド装着される軸線Ｘ３と、第２バッテリ装着部６０Ｂｂに対して充電式バッテリ８０ｂがスライド装着される軸線Ｘ４とは、互いに平行となるように設定されている。つまり、第３の実施の形態のバッテリ装着部６０Ｂａ，６０Ｂｂにあっても、２つの充電式バッテリ８０ａ，８０ｂが並列にスライドさせて装着できるように、グリップハウジング１２の下側連接部１６に対して設けられている。なお、これら２つのバッテリ装着部６０Ｂａ，６０Ｂｂの配設位置の中間部分に、上記したハンドル部１３の後側の後側連接部１４が配置されるようになっている。
【００２２】
この第３の実施の形態のハンディクリーナ１０Ｂによれば、上記した第１の実施の形態のハンディクリーナ１０と略同一の作用効果を奏することができる。なお、充電式バッテリ８０ａがスライド装着される軸線Ｘ３と、充電式バッテリ８０ｂがスライド装着される軸線Ｘ４とは、互いに平行となるように設定されている。これによって、並べられた充電式バッテリ８０ａ，８０ｂの並び方向の長さは、この充電式バッテリ８０の幅方向の長さＷを２つ合わせた長さとなっている。このため、この充電式バッテリ８０の外形寸法の中でも短手方向となる長さを合わせることとなる。これによって、２つ並列された充電式バッテリ８０ａ，８０ｂの嵩張りを抑えることができる。また、第１バッテリ装着部６０Ｂａと第２バッテリ装着部６０Ｂｂとは前後にずらされた並列配置関係で設けられている。これによって、この第３の実施の形態のハンディクリーナ１０Ｂは、第１および第２の実施の形態のハンディクリーナ１０,１０Ａと比較して幅方向の嵩張りを抑えることができる。したがって、この第３の実施の形態のハンディクリーナ１０Ｂによれば、狭い空間においても使用することができる利点がある。また、第１および第２のバッテリ装着部６０Ｂａ，６０Ｂｂに対しての充電式バッテリ８０ａ，８０ｂのスライド装着方向は、互いに向き合う対向方向に設定されているので、充電式バッテリ８０（８０ａ，８０ｂ）自体で生ずる互いの重量バランスも解消することができる。これによって、スライド装着された充電式バッテリ８０ａ，８０ｂ同士が左右方向でバランスされているので、ハンディクリーナ１０Ｂ自体の左右方向の重量バランスもバランスされることとなる。したがって、充電式バッテリ８０により重量が増加しても、クリーナとしての取回しの良さが損なわれるのを抑えることができる。また、ハンドル部１３の後側の後側連接部１４は、２つのバッテリ装着部６０Ｂａ，６０Ｂｂの配設位置の中間部分に配置されるので、後側連接部１４を介してハンドル部１３で支持する場合に、このハンドル部１３で前後方向でバランス良く荷重を受けることができる。
【００２３】
なお、上記した第３の実施の形態のハンディクリーナ１０Ｂの第１および第２のバッテリ装着部６０Ｂａ，６０Ｂｂにあっても、軸線Ｘ３，Ｘ４が互いに平行となるようにスライド装着方向が設定されるものであればよい。つまり、第１および第２のバッテリ装着部６０Ｂａ，６０Ｂｂに対して充電式バッテリ８０ａ，８０ｂを取り付けるためのスライド装着方向としては、図示されている方向とは逆方向の構成とされるものであってもよい。さらに、第１および第２のバッテリ装着部６０Ｂａ，６０Ｂｂに対して取り付けられる充電式バッテリ８０ａ，８０ｂのスライド装着方向としては、互いに同方向となるものであってもよい。すなわち、図１８〜図２１に示すバッテリ装着部６０Ｃの充電式バッテリ８０ａ，８０ｂのスライド装着方向は、両者互いに右から左となるように同方向にて設定されている。すなわち、図１８の符号１０Ｃは、第３の実施の形態のハンディクリーナ１０Ｂの変形例となるハンディクリーナ１０Ｃを示している。この図１８の斜視図では、ハンディクリーナ１０Ｃの外観全体を示している。図１９の側面図では、図１８に示すハンディクリーナ１０Ｃを側面で視ている。図２０の平面図では、図１８に示すハンディクリーナ１０Ｃを上側から視ている。図２１の平面図では、図１８に示すハンディクリーナ１０Ｃを下側から視ている。すなわち、図１４〜図１７に示すバッテリ装着部６０Ｂは充電式バッテリ８０ａ，８０ｂのスライド装着方向が互いに向き合う対向方向に設定されるのに対して、図１８〜図２１に示すバッテリ装着部６０Ｃは、充電式バッテリ８０ａ，８０ｂのスライド装着方向が互いに同方向に設定される。この点で、図１８〜図２１に示すバッテリ装着部６０Ｃは、図１４〜図１７に示すバッテリ装着部６０Ｂと相違する。
具体的には、図１８〜図２１に示すように、この第１バッテリ装着部６０Ｃａと第２バッテリ装着部６０Ｃｂとも、下側連接部１６に対して前後にずらされた並列配置関係で設けられている。これら第１および第２のバッテリ装着部６０Ｃａ，６０Ｃｂに対しての充電式バッテリ８０ａ，８０ｂのスライド装着方向は、互いに同方向となる右から左に向けたものとなっている。つまり、充電式バッテリ８０ａ，８０ｂは、ともに右から左に向けてスライドさせることにより、第１および第２のバッテリ装着部６０Ｃａ，６０Ｃｂに対して取り付けられる。このため、第１バッテリ装着部６０Ｃａに対して充電式バッテリ８０ａがスライド装着される軸線Ｘ３と、第２バッテリ装着部６０Ｃｂに対して充電式バッテリ８０ｂがスライド装着される軸線Ｘ４とは、互いに平行となっている。
このハンディクリーナ１０Ｃによれば、上記した第３の実施の形態のハンディクリーナ１０Ｂと略同一の作用効果を奏することができるが、次の点で奏する作用効果が相違する。すなわち、第１および第２のバッテリ装着部６０Ｃａ，６０Ｃｂに対しての充電式バッテリ８０ａ，８０ｂのスライド装着方向は、互いに同方向に設定されている。これによって、これら第１および第２のバッテリ装着部６０Ｃａ，６０Ｃｂに対して充電式バッテリ８０ａ，８０ｂの２つをスライド装着させるにあたって一つの方向で２つの充電式バッテリ８０ａ，８０ｂをスライド装着させることができる。
つまり、上記した第３の実施の形態のハンディクリーナ１０Ｂにあっては、互いに向き合う対向方向で充電式バッテリ８０ａ，８０ｂをスライド装着させるので、左右方向の重量バランスをバランスさせることができて操作性に優れたハンディクリーナとすることができる。これに対し、ハンディクリーナ１０Ｃにあっては、互いに同方向で充電式バッテリ８０ａ，８０ｂをスライド装着させるので、連続して２つの充電式バッテリ８０ａ，８０ｂを取り付けるにあたって、一方向で纏めてスライド装着させ易くして充電式バッテリ交換時の作業性に優れたハンディクリーナとすることができる。なお、この変形例のとおり、第１および第２のバッテリ装着部６０Ｃａ，６０Ｃｂに対して充電式バッテリ８０ａ，８０ｂを取り付けるためのスライド装着方向としては、図示されている方向とは逆方向の構成とされるものであってもよい。
【００２４】
なお、本発明に係るクリーナとしては、上記したハンディクリーナの例に限定されるものではなく、手で持って使用する手持ち式のクリーナで構成されるものであればいよい。
また、上記した実施の形態における充電式バッテリ８０ａ，８０ｂは、電圧１８Ｖに設定されるものとなっていた。しかしながら、本発明に係る充電式バッテリの電圧としては、これに限定されることなく、１０Ｖや１４Ｖ等の適宜の電圧にて設計される充電式バッテリ（二次電池）を利用することができる。また、これら２つの充電式バッテリ８０ａ,８０ｂから供給される電力は、供給容量（全ての充電量）を高めることのみならず、電圧を上げるものであってもよい。つまり、充電式バッテリ８０から供給される電力の供給容量を上げるための構成に限定されることなく、充電式バッテリ８０から供給される電力の電圧を上げるための適宜の構成としてもよい。
【符号の説明】
【００２５】
１０，１０Ａ，１０Ｂ，１０Ｃ  ハンディクリーナ（手持ち式のクリーナ）
１１  クリーナ本体
１２  グリップハウジング
１３  ハンドル部
１４  後側連接部
１５  前側連接部
１６  下側連接部
１７  駆動コントローラ
１７１  シャント抵抗
１７２  ＦＥＴ回路
１８  電力コントローラ
１９  排気口
２０  操作スイッチ
２１  スイッチ本体
２２  操作ボタン部
３０  送風動力機構
３１  ブラケット部
３２  電動モータ
３３  モータ軸
３５  送風ファン
３６  ファン本体
３７  気流ガイド部
４１  フィルタ具
４２  支持具
４３  フィルタ本体
５１  集塵ハウジング
５３  取付開口端部
５５  ノズル部
５６  吸気口
６０（６０ａ，６０ｂ）  バッテリ装着部
６００  バッテリ端子接続部
６１，６２  スライドガイド受部
６３  正極側端子
６４  負極側端子
６５  信号側端子
６６  雌部（凹み）
８０（８０ａ，８０ｂ）  充電式バッテリ
８１，８２  スライドガイド部
８３  正極側端子
８４  負極側端子
８５  信号側端子
８７  雄フック
８８  押しボタン
Ｌ  長手方向の長さ
Ｗ  幅方向の長さ
Ｈ  高さ方向の長さ
Ｘ１  モータ軸の回転軸線
Ｘ３  第１バッテリ装着部に充電式バッテリがスライド装着される軸線
Ｘ４  第２バッテリ装着部に充電式バッテリがスライド装着される軸線
【図１】
2014147590.tif 000003
【図２】
2014147590.tif 000004
【図３】
2014147590.tif 000005
【図４】
2014147590.tif 000006
【図５】
2014147590.tif 000007
【図６】
2014147590.tif 000008
【図７】
2014147590.tif 000009
【図８】
2014147590.tif 000010
【図９】
2014147590.tif 000011
【図１０】
2014147590.tif 000012
【図１１】
2014147590.tif 000013
【図１２】
2014147590.tif 000014
【図１３】
2014147590.tif 000015
【図１４】
2014147590.tif 000016
【図１５】
2014147590.tif 000017
【図１６】
2014147590.tif 000018
【図１７】
2014147590.tif 000019
【図１８】
2014147590.tif 000020
【図１９】
2014147590.tif 000021
【図２０】
2014147590.tif 000022
【図２１】
2014147590.tif 000023